(57)【要約】【課題】素子内給電線路と給電部との接続部分における高周波信号の伝送損失を低減することが可能なアンテナ装置を提供する。【解決手段】アンテナ装置１は、誘電体基板４１０，４２０に形成された素子内給電線路４１１，４２１及び放射素子４１２，４２２を有し、放射素子４１２，４２２が素子内給電線路４１１，４２１に沿うように形成されて素子内給電線路４１１，４２１からの給電を受けるアンテナ素子４と、互いに平行な第１のグランド板３１及び第２のグランド板３２の間に中心導体３３を配置して構成され、アンテナ素子４に給電可能なトリプレート線路と、中心導体３３と素子内給電線路４１１，４２１とを電気的に接続する接続ピン８とを備え、接続ピン８は、絶縁部材９によって第１のグランド板３１に形成された貫通孔３１ａに固定されている。【選択図】図１０
2015033114.tif 000002
【特許請求の範囲】
【請求項１】
誘電体基板の第１の主面に形成された素子内給電線路、及び前記誘電体基板の第２の主面に形成された放射素子を有し、前記放射素子が前記素子内給電線路に沿うように形成されて前記素子内給電線路からの給電を受けるアンテナ素子と、
互いに平行な第１の外部導体及び第２の外部導体の間に中心導体を配置して構成され、前記アンテナ素子に励振電力を給電可能なトリプレート線路と、
前記中心導体と前記素子内給電線路とを電気的に接続する接続部材とを備え、
前記接続部材は、絶縁性を有する固定部材によって前記第１の外部導体に形成された貫通孔に固定されている
アンテナ装置。
【請求項２】
前記固定部材は、
前記貫通孔に挿入されて前記接続部材を固定する固定部と、
前記第１の外部導体と前記中心導体との間に挟まれた基部とを有している、
請求項１に記載のアンテナ装置。
【請求項３】
前記誘電体基板の前記第２の主面側における前記放射素子と前記第１の外部導体とは、導電部材によって電気的に接続され、
前記放射素子と前記導電部材との接続部位は、その少なくとも一部が前記第１の主面側における前記素子内給電線路と前記誘電体基板の厚さ方向に重なっている、
請求項１又は２に記載のアンテナ装置。
【発明の詳細な説明】
【技術分野】
【０００１】
本発明は、複数のアンテナ素子に高周波信号に応じた励振電力を給電することが可能なトリプレート線路を備えたアンテナ装置に関する。
【背景技術】
【０００２】
従来、アンテナ装置として、一対の誘電体基板を組み合わせて構成されたクロスダイポールアンテナ装置が知られている（例えば、特許文献１参照。）。
【０００３】
特許文献１に記載のアンテナ装置は、素子内給電線路及び放射素子が形成された長方形状の第１及び第２の誘電体基板と、第１及び第２の誘電体基板が取り付けられる正方形状の台座とを備えている。第１及び第２の誘電体基板は、その長辺方向が台座に平行であり、短辺方向が台座に直交するように十字状に交差して台座に取り付けられている。
【０００４】
第１及び第２の誘電体基板には、その長辺方向の両端部に台座側に向かって突出する凸形状の嵌合部が形成され、長辺方向の中央部に短辺方向に沿って延びる切込部が形成されている。台座には、その四隅に、それぞれ台座の厚さ方向に貫通する長円形状の嵌入部が形成されている。また、台座の中央部には、台座の厚さ方向に貫通する２つの丸孔が形成され、その丸孔の内面に同軸ケーブル等を介して給電ピンが半田付けされて給電部が設けられている。また、台座の表面には、銅等の金属箔からなる接地短絡パターンが形成されている。
【０００５】
第１の誘電体基板と第２の誘電体基板とは、互いの切込部を噛み合わせた状態で各嵌合部が台座の嵌入部に挿入されることにより、第１の誘電体基板と第２の誘電体基板とが直交した状態で台座に固定される。このとき、第１及び第２の誘電体基板の素子内給電線路は、台座側に向かって延伸した先端部が給電部に接触することによって電気的に接続される。また、第１及び第２の誘電体基板の放射素子は、台座側に向かって延伸して台座の接地短絡パターン上の接点で接地短絡される。
【先行技術文献】
【特許文献】
【０００６】
【特許文献１】特開２００９−１２４４０３号公報
【発明の概要】
【発明が解決しようとする課題】
【０００７】
特許文献１に記載のアンテナ装置では、給電部が、台座に形成された丸孔の内面に同軸ケーブル等を介して給電ピンが半田付けされることによって構成されているため、入力側の給電部と出力側の素子内給電線路との接続部分におけるインピーダンスの整合が難しく、高周波信号の伝送損失が大きくなるといった問題が生じていた。
【０００８】
そこで、本発明は、素子内給電線路と給電部との接続部分における高周波信号の伝送損失を低減することが可能なアンテナ装置を提供することを目的とする。
【課題を解決するための手段】
【０００９】
本発明は、上記課題を解決することを目的として、誘電体基板の第１の主面に形成された素子内給電線路、及び前記誘電体基板の第２の主面に形成された放射素子を有し、前記放射素子が前記素子内給電線路に沿うように形成されて前記素子内給電線路からの給電を受けるアンテナ素子と、互いに平行な第１の外部導体及び第２の外部導体の間に中心導体を配置して構成され、前記アンテナ素子に励振電力を給電可能なトリプレート線路と、前記中心導体と前記素子内給電線路とを電気的に接続する接続部材とを備え、前記接続部材は、絶縁性を有する固定部材によって前記第１の外部導体に形成された貫通孔に固定されているアンテナ装置を提供する。
【発明の効果】
【００１０】
本発明に係るアンテナ装置によれば、素子内給電線路と給電部との接続部分における高周波信号の伝送損失を低減することが可能である。
【図面の簡単な説明】
【００１１】
【図１】本発明の実施の形態に係るアンテナ装置の概略構成を示すブロック図である。
【図２】アンテナ装置の具体的な構成例を示し、（ａ）は外観を示す斜視図、（ｂ）は第１のグランド板上の実装状態を示す斜視図である。
【図３】図２（ｂ）における一部のアンテナ素子を拡大して示す斜視図である。
【図４】アンテナ装置における第２のグランド板上の実装状態を示す斜視図である。
【図５】アンテナ素子の構成例を示す斜視図である。
【図６】水平偏波アンテナ素子の構成例を示す平面図である。
【図７】垂直偏波アンテナ素子の構成例を示す平面図である。
【図８】図３における接地部及びその周辺部の拡大図である。
【図９】垂直偏波アンテナ素子と中心導体との接続構造の一例を示す斜視図である。
【図１０】垂直偏波アンテナ素子と中心導体とが接続ピンを介して接続された状態を示す正面図である。
【図１１】第１のグランド板の貫通孔及びその周辺部を示す平面図である。
【発明を実施するための形態】
【００１２】
［実施の形態］
図１は、本発明の実施の形態に係るアンテナ装置の概略構成を示すブロック図である。
【００１３】
このアンテナ装置１は、例えば携帯電話基地局用のアンテナ装置として用いられ、高周波信号送受信端子１０、分配器用トリプレート線路１１、誘電体挿入型移相器用トリプレート線路１２、給電線路用トリプレート線路１３、及び複数のアンテナ素子をアレイ状に配置したアンテナ素子アレイ１４を含んで構成されている。
【００１４】
高周波信号送受信端子１０に高周波送信信号に応じた励振電力を入力すると、この励振電力が分配器用トリプレート線路１１によって分配される。分配された励振電力は、それぞれに対応する誘電体挿入型移相器用トリプレート線路１２によって所定の移相量を与えられ、それぞれに対応する給電線路用トリプレート線路１３に入力される。給電線路用トリプレート線路１３に供給された励振電力は、アンテナ素子アレイ１４のそれぞれに対応するアンテナ素子に給電され、各アンテナ素子から所定の指向性を有して放射される。
【００１５】
なお、本実施の形態では、アンテナ装置１を送信用として用いた場合について説明するが、図１に両矢印で示すように、アンテナ装置１を受信用として用いることも可能である。
【００１６】
（アンテナ装置１の構成）
図２は、アンテナ装置１の具体的な構成例を示し、（ａ）は外観を示す斜視図、（ｂ）は第１のグランド板３１上の実装状態を示す斜視図である。
【００１７】
図２（ａ）に示すように、アンテナ装置１は、円筒状のレドーム２２内に前述の高周波信号送受信端子１０、分配器用トリプレート線路１１、誘電体挿入型移相器用トリプレート線路１２、給電線路用トリプレート線路１３、及びアンテナ素子アレイ１４等を収容して構成されている。
【００１８】
レドーム２２は、その両端をアンテナキャップ２３ａ，２３ｂによって閉塞されており、その長手方向が鉛直方向となるように取付金具２１ａ，２１ｂでアンテナ塔等に取り付けられる。また、高周波信号送受信端子１０（図１参照）として機能する同軸ケーブルアダプタ２５ａ，２５ｂが、一方のアンテナキャップ２３ｂから外部へ突出している。
【００１９】
図２（ｂ）に示すように、複数（本実施の形態では８つ）のアンテナ素子４は、水平偏波アンテナ素子４１と垂直偏波アンテナ素子４２とを有し、第１の導体としての第１のグランド板３１上に配置されてアンテナ素子アレイ１４（図１参照）を構成している。第１のグランド板３１には、その長手方向に直交する幅方向の両側に、側板３４ａ，３４ｂが設けられている。
【００２０】
第１のグランド板３１は、水平偏波アンテナ素子４１及び垂直偏波アンテナ素子４２から放射される電磁波を反射する反射板としての機能を有している。
【００２１】
図３は、図２（ｂ）における一部のアンテナ素子４を拡大して示す斜視図である。なお、図３では、第１のグランド板３１の図示を省略し、第１のグランド板３１に平行に配置された第２のグランド板３２、及び第１のグランド板３１と第２のグランド板３２との間に配置された中心導体３３等を示している。
【００２２】
水平偏波アンテナ素子４１は、矩形状の誘電体基板４１０の一方の面に放射素子４１２が形成され、この放射素子４１２が複数（本実施の形態では２つ）の接地部７ａによって図略の第１のグランド板３１、及び第２の導体としての第２のグランド板３２に接続されている。第１のグランド板３１及び第２のグランド板３２は、図略の配線によって接地されている。なお、図３では、２つの接地部７ａのうち一方の接地部７ａのみを示している。
【００２３】
同様にして、垂直偏波アンテナ素子４２は、誘電体基板４２０の一方の面に放射素子４２２が形成され、複数（本実施の形態では２つ）の接地部７ｂによって図略の第１のグランド板３１、及び第２のグランド板３２に接続されている。
【００２４】
互いに平行に配置された第１のグランド板３１（図略）と第２のグランド板３２との間には、板状の中心導体３３が平行に配置され、第１のグランド板３１、中心導体３３、及び第２のグランド板３２によってトリプレート線路を構成している。
【００２５】
本実施の形態では、図１に示した分配器用トリプレート線路１１、誘電体挿入型移相器用トリプレート線路１２、及び給電線路用トリプレート線路１３が、一連のトリプレート線路によって構成されている。
【００２６】
中心導体３３と第１のグランド板３１との間、及び中心導体３３と第２のグランド板３２との間には、それぞれインピーダンス整合された誘電体スペーサ６４が複数設けられている。
【００２７】
中心導体３３は、トリプレート線路内に複数設けられた誘電体組立体６を構成する板状の第１の誘電体板６１及び第２の誘電体板６２の間に挟まれている。誘電体組立体６は、その両端において一対の誘電体支持ピン６３により支持されている。第２のグランド板３２には、誘電体支持ピン６３が貫通する長円形状のスリット３２０が複数形成されている。
【００２８】
図４は、アンテナ装置１における第２のグランド板３２上の実装状態を示す斜視図である。なお、図４では、レドーム２２を取り外したアンテナ装置１を図３とは反対側から見た状態を示している。
【００２９】
第２のグランド板３２の裏面３２ａ（中心導体３３に対向する面とは反対側の面）には、誘電体支持ピン６３（図３参照）に連結された連結棒５２ａ，５２ｂが設けられている。連結棒５２ａ，５２ｂは、それぞれ連結棒ガイド５１ａ，５１ｂによりガイドされ、誘電体支持ピン６３を第１のグランド板３１の長手方向に移動させる。
【００３０】
その他、第２のグランド板３２の裏面３２ａ側には、モータユニット用ケーブル５３によって駆動電流が供給される直動モータユニット５４、及びチルト角を設定するためのチルト設定基板５６が設けられている。
【００３１】
また、同軸ケーブルアダプタ２５ａから導出されて水平偏波アンテナ素子４１に励振電力を供給する水平偏波用同軸ケーブル５５ａ、及び同軸ケーブルアダプタ２５ｂから導出されて垂直偏波アンテナ素子４２に励振電力を供給する垂直偏波用同軸ケーブル５５ｂが、第２のグランド板３２の裏面３２ａ側から中心導体３３に接続されている。
【００３２】
（アンテナ素子４の構成）
次に、アンテナ素子４の構成について、図５乃至図７を参照して説明する。
【００３３】
図５は、アンテナ素子４の構成例を示す斜視図である。図６は、水平偏波アンテナ素子４１の構成例を示す平面図である。図７は、垂直偏波アンテナ素子４２の構成例を示す平面図である。
【００３４】
水平偏波アンテナ素子４１は、図５及び図６に示すように、誘電体基板４１０と、誘電体基板４１０の第１の主面４１０ａに形成された素子内給電線路４１１と、誘電体基板４１０の第２の主面４１０ｂに形成された放射素子４１２とを有している。放射素子４１２は、素子内給電線路４１１に沿うように形成されて素子内給電線路４１１からの給電を受けている。
【００３５】
素子内給電線路４１１は、第１のグランド板３１に対して平行な方向に延びる第１の接続パターン４１１ａと、第１の接続パターン４１１ａの端部から第１のグランド板３１側に向かって延びる第２の接続パターン４１１ｂとから構成されている。
【００３６】
誘電体基板４１０には、第１のグランド板３１に対して平行な方向の中央部に、第１のグランド板３１とは反対側の端部から第１のグランド板３１側に向かって第２の接続パターン４１１ｂに沿うように延びる切込部４１３が形成されている。本実施の形態では、切込部４１３は、その開口部側の幅が終端部側の幅よりも広く形成されている。
【００３７】
切込部４１３は、図６に示すように、第１の接続パターン４１１ａを横切るように形成され、第１の接続パターン４１１ａは、切込部４１３によって分断された部分が導体板４１１ｃ（図５に示す）によって接続されている。
【００３８】
放射素子４１２は、図６において破線で示すように、切込部４１３を中心として対称に形成され、第１のグランド板３１に対して平行な方向に延びる放射素子パターン４１２ａと、放射素子パターン４１２ａの切込部４１３側の端部から切込部４１３の延伸方向に沿って延びる第２のバランパターン４１２ｂとから構成されている。
【００３９】
垂直偏波アンテナ素子４２は、図５及び図７に示すように、誘電体基板４２０と、誘電体基板４２０の第１の主面４２０ａに形成された素子内給電線路４２１と、誘電体基板４２０の第２の主面４２０ｂに形成された放射素子４２２とを有している。放射素子４２２は、素子内給電線路４２１に沿うように形成されて素子内給電線路４２１からの給電を受けている。
【００４０】
素子内給電線路４２１は、第１のグランド板３１に対して平行な方向に延びる第１の接続パターン４２１ａと、第１の接続パターン４２１ａの端部から第１のグランド板３１側に向かって延びる第２の接続パターン４２１ｂとから構成されている。
【００４１】
誘電体基板４２０には、第１のグランド板３１に対して平行な方向の中央部に、第１のグランド板３１側の端部から第１の接続パターン４２１ａに向かって第２の接続パターン４２１ｂに沿うように延びる切込部４２３と、互いに連通する大スリット部４２６ａ及び小スリット部４２６ｂを有するスリット４２６とが形成されている。
【００４２】
本実施の形態では、切込部４２３は、その開口部側の幅が終端部側の幅よりも広く形成されている。スリット４２６は、切込部４２３の終端部側に配置され、スリット４２６の小スリット部４２６ｂは、切込部４２３側に配置されている。
【００４３】
放射素子４２２は、図７において破線で示すように、切込部４２３及びスリット４２６を中心として対称に形成され、第１のグランド板３１に対して平行な方向に延びる放射素子パターン４２２ａと、放射素子４２２ａのスリット４２６側の端部から連続して切込部４２３及びスリット４２６に沿って延びるバランパターン４２２ｂとから構成されている。
【００４４】
図５に示すように、アンテナ素子４は、水平偏波アンテナ素子４１と垂直偏波アンテナ素子４２とを、互いの切込部４１３，４２３で噛み合わせることによって組み立てられる。本実施の形態では、水平偏波アンテナ素子４１と垂直偏波アンテナ素子４２とは、直交して組み合わされている。
【００４５】
水平偏波アンテナ素子４１の切込部４１３を挟んで形成された第１の接続パターン４１１ａは、水平偏波アンテナ素子４１と垂直偏波アンテナ素子４２とが組み合わされた状態において、垂直偏波アンテナ素子４２の大スリット部４２６ａ内で導体板４１１ｃによって接続されている。
【００４６】
（アンテナ素子４とトリプレート線路間の接地）
次に、アンテナ素子４とトリプレート線路との間における接地について図８を参照して説明する。
【００４７】
図８は、図３における接地部７ｂ及びその周辺部の拡大図である。なお、図８では、図３と同様に、第１のグランド板３１の図示を省略している。
【００４８】
アンテナ素子４の水平偏波アンテナ素子４１及び垂直偏波アンテナ素子４２は、それぞれ接地部７ａ，７ｂ（図３参照）を介して第１のグランド板３１及び第２のグランド板３２に接地されている。水平偏波アンテナ素子４１と接地部７ａとの接続構造、及び垂直偏波アンテナ素子４２と接地部７ｂとの接続構造はそれぞれ同様であるため、垂直偏波アンテナ素子４２と接地部７ｂとの接続構造を例にとって以下説明する。
【００４９】
接地部７ｂは、垂直偏波アンテナ素子４２の放射素子４２２と第１のグランド板３１（図略）とを接続する導電部材としての放射素子接続金具７１と、第１のグランド板３１と第２のグランド板３２とを接続するグランド板接続金具７２と、放射素子接続金具７１をグランド板接続金具７２に固定するための固定金具７３とを備えている。
【００５０】
放射素子接続金具７１は、板金をＬ字形状に屈曲してなり、垂直偏波アンテナ素子４２の放射素子４２２に対して平行な方向に延びて放射素子４２２に接触する接触部７１ａと、接触部７１ａに対して垂直な方向に延出し、固定金具７３が取り付けられる取付部７１ｂと、接触部７１ａと取付部７１ｂとの間を連結する連結部７１ｃとを一体に有している。接触部７１ａ及び取付部７１ｂの幅方向の寸法は、例えば６ｍｍ程度である。なお、放射素子４２２と、この放射素子４２２に接触する接触部７１ａとは、例えば半田付け等により固定され、接地部７ｂにおける放射素子４２２と放射素子接続金具７１の接触部７１ａとの電気的な接続を確実にしている。
【００５１】
垂直偏波アンテナ素子４２の放射素子４２２と放射素子接続金具７１との接続部位は、その少なくとも一部が誘電体基板４２０の第１の主面４２０ａにおける素子内給電線路４２１と誘電体基板４２０の厚さ方向に重なっている。換言すれば、誘電体基板４２０に対して垂直な方向から透視した場合に、放射素子４２２と接触部７１ａとの接触面は、その少なくとも一部が素子内給電線路４２１の第２の接続パターン４２１ｂに重なっている。
【００５２】
グランド板接続金具７２は、第１のグランド板３１と第２のグランド板３２との間に配置され、グランド板接続金具７２の上面７２ａ側は第１のグランド板３１に接触し、グランド板接続金具７２の下面７２ｂ側は第２のグランド板３２に接触している。本実施の形態では、グランド板接続金具７２は六角柱状であるが、これに限らず、例えば円柱状や四角柱状等でもよい。
【００５３】
（接続ピン８及び絶縁部材９の構成）
次に、接続ピン８及び絶縁部材９の構成について、図９乃至図１１を参照して説明する。
【００５４】
図９は、垂直偏波アンテナ素子４２と中心導体３３との接続構造の一例を示す斜視図である。図１０は、垂直偏波アンテナ素子４２と中心導体３３とが接続ピン８を介して接続された状態を示す正面図である。図１１は、第１のグランド板３１の貫通孔３１ａ及びその周辺部を示す平面図である。
【００５５】
水平偏波アンテナ素子４１の素子内給電線路４１１と中心導体３３、及び垂直偏波アンテナ素子４２の素子内給電線路４２１と中心導体３３は、接続部材としての接続ピン８によってそれぞれ電気的に接続されている。水平偏波アンテナ素子４１と中心導体３３との接続構造、及び垂直偏波アンテナ素子４２と中心導体３３との接続構造はそれぞれ同様であるため、以下の説明の中では垂直偏波アンテナ素子４２と中心導体３３との接続構造を例にとることとする。
【００５６】
接続ピン８は、本実施の形態では、例えば銅等の合金から形成され、一辺が１ｍｍ程度の正方形からなる底面及び上面を有する正四角柱状である。接続ピン８は、その一端が、中心導体３３の端部３３０に例えば半田付け等により接続され、他端が、素子内給電線路４２１の第２の接続パターン４２１ｂの端部に例えば半田付け等により接続されている。これにより、素子内給電線路４２１と中心導体３３とが、接続ピン８を介して電気的に接続される。
【００５７】
また、接続ピン８は、絶縁性を有する固定部材としての絶縁部材９によって第１のグランド板３１に形成された貫通孔３１ａに固定されている。貫通孔３１ａは、本実施の形態では、直径が３ｍｍ程度の丸孔である。絶縁部材９は、例えばテフロン（登録商標）、ポリエチレン、ポリプロピレン等の樹脂から形成されている。
【００５８】
絶縁部材９は、図９に示すように、貫通孔３１ａに挿入されて接続ピン８を固定する固定部９１と、第１のグランド板３１と中心導体３３との間に挟まれた基部９２とを一体に有している。
【００５９】
固定部９１は、第１のグランド板３１の厚み方向の寸法と同じ寸法の高さ（中心軸方向の長さ）を有する円柱状に形成され、その中央には、中心軸に沿って接続ピン８が挿通される第１の挿通孔９１ａが設けられている。
【００６０】
基部９２は、第１のグランド板３１と中心導体３３との間の距離と同じ寸法の高さ（中心軸方向の長さ）を有する円柱状に形成され、その中央には、固定部９１に形成された第１の挿通孔９１ａに連なって形成された第２の挿通孔９２ａが設けられている。
【００６１】
本実施の形態では、図１０に示すように、基部９２の直径Ｄ１は、中心導体３３の幅方向の寸法Ｄ３と等しい（Ｄ１＝Ｄ３）。また、図１１に示すように、基部９２の直径Ｄ１は、固定部９１の直径Ｄ２よりも大きく形成されている（Ｄ１＞Ｄ２）。これにより、基部９２は、貫通孔３１ａの外側周辺の第１のグランド板３１と中心導体３３との間に挟持される。
【００６２】
接続ピン８は、一端が中心導体３３に固定された状態で第１の挿通孔９１ａ及び第２の挿通孔９２ａからなる挿通孔９ａに挿通されて、貫通孔３１ａから素子内給電線路４２１の第２の接続パターン４２１ｂに沿うように延出している。そして、接続ピン８の他端、すなわち絶縁部材９から露出した部分が、素子内給電線路４２１の第２の接続パターン４２１ｂの端部に接続される。
【００６３】
第１のグランド板３１の貫通孔３１ａ、接続ピン８、及び絶縁部材９は、それぞれ同軸上に配置された同軸構造を形成し、中心導体３３（トリプレート線路）側の出力インピーダンスとアンテナ素子４側の入力インピーダンスとの整合（インピーダンスマッチング）が取られている。
【００６４】
（実施の形態の作用及び効果）
以上説明した実施の形態によれば、以下のような作用及び効果が得られる。
【００６５】
（１）接続ピン８は、絶縁部材９によって第１のグランド板３１の貫通孔３１ａに固定されているため、アンテナ素子４の素子内給電線路４１１，４２１と中心導体３３との接続部分における同軸構造を安定して形成することができ、トリプレート線路とアンテナ素子４とのインピーダンスマッチングが安定する。これにより、素子内給電線路４１１，４２１と中心導体３３との接続部分における高周波信号の伝送損失を低減することが可能である。
【００６６】
（２）アンテナ素子４の素子内給電線路４１１，４２１と中心導体３３とが、接続ピン８を介して電気的に接続されることにより、アンテナ素子４とトリプレート線路との間における接続構造の簡素化を図ることができる。これにより、同軸ケーブル等を用いた複雑な接続構造とした場合に比べて製造コストの低減につながる。
【００６７】
（３）絶縁部材９は、第１のグランド板３１と中心導体３３との間に挟まれた基部９２を有しているため、より安定した貫通孔３１ａ、接続ピン８、及び絶縁部材９による同軸構造を形成することができる。
【００６８】
（４）アンテナ素子４の放射素子４１２，４２２と放射素子接続金具７１の接触部７１ａとの接続部位は、その少なくとも一部が誘電体基板４１０，４２０の第１の主面４１０ａ，４２０ａ側における素子内給電線路４１１，４２１と誘電体基板４１０，４２０の厚さ方向に重なっている。すなわち、素子内給電線路４１１，４２１と中心導体３３との接続部分の近傍で接地をすることにより、高周波信号の伝送損失を低減することが可能である。
【００６９】
（５）接続ピン８は、絶縁部材９の挿通孔９ａに挿通されてアンテナ素子４の素子内給電線路４１１，４２１に半田付け等により接続されているため、組み立て作業及びアンテナ素子４の交換の作業等が容易である。
【００７０】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００７１】
［１］誘電体基板（４１０，４２０）の第１の主面（４１０ａ，４２０ａ）に形成された素子内給電線路（４１１，４２１）、及び誘電体基板（４１０，４２０）の第２の主面（４１０ｂ，４２０ｂ）に形成された放射素子（４１２，４２２）を有し、放射素子（４１２，４２２）が素子内給電線路（４１１，４２１）に沿うように形成されて素子内給電線路（４１１，４２１）からの給電を受けるアンテナ素子（４）と、互いに平行な第１の外部導体（第１のグランド板３１）及び第２の外部導体（第２のグランド板３２）の間に中心導体（３３）を配置して構成され、アンテナ素子（４）に励振電力を給電可能なトリプレート線路と、中心導体（３３）と素子内給電線路（４１１，４２１）とを電気的に接続する接続部材（接続ピン８）とを備え、接続ピン（８）は、絶縁性を有する固定部材（絶縁部材９）によって第１のグランド板（３１）に形成された貫通孔（３１ａ）に固定されているアンテナ装置（１）。
【００７２】
［２］絶縁部材（９）は、貫通孔（３１ａ）に挿入されて接続ピン（８）を固定する固定部（９１）と、第１のグランド板（３１）と中心導体（３３）との間に挟まれた基部（９２）とを有している、［１］に記載のアンテナ装置（１）。
【００７３】
［３］誘電体基板（４１０，４２０）の第２の主面（４１０ｂ，４２０ｂ）側における放射素子（４１２，４２２）と第１のグランド板（３１）とは、導電部材（放射素子接続金具７１）によって電気的に接続され、放射素子（４１２，４２２）と放射素子接続金具（７１）との接続部位は、その少なくとも一部が第１の主面（４１０ａ，４２０ａ）側における素子内給電線路（４１１，４２１）と誘電体基板（４１０，４２０）の厚さ方向に重なっている、［１］又は［２］に記載のアンテナ装置（１）。
【００７４】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００７５】
本発明は、その趣旨を逸脱しない範囲で適宜変形して実施することが可能である。例えば、上記実施の形態では、水平偏波アンテナ素子４１の誘電体基板４１０及び垂直偏波アンテナ素子４２の誘電体基板４２０は、それぞれ矩形状を有していたが、これに限らず、アンテナ装置１の用途に応じて形状を変更することが可能である。
【００７６】
また、アンテナ装置１は、携帯電話基地局用に限らず、様々な用途のアンテナ装置に本発明を適用することが可能である。
【００７７】
また、アンテナ素子４の素子内給電線路４１１，４２１及び放射素子４１２，４２２の配線パターンについても特に制限はなく、アンテナ装置１の用途に応じて配線パターンを変更することが可能である。
【００７８】
また、上記実施の形態では、絶縁部材９の基部９２は、その直径が固定部９１の直径よりも大きく形成されていたが、これに限らず、固定部９１の直径と基部９２の直径とが等しくてもよい。
【００７９】
また、上記実施の形態では、絶縁部材９の固定部９１及び基部９２は、それぞれ円柱状を有していたが、これに限らず、例えば角柱状でもよく、その形状に特に制限はない。
【００８０】
また、上記実施の形態では、接続ピン８は、正四角柱状を有していたが、これに限らず、例えば円柱状でもよく、その形状に特に制限はない。
【符号の説明】
【００８１】
１…アンテナ装置、４…アンテナ素子、６…誘電体組立体、７ａ，７ｂ…接地部、８…接続ピン（接続部材）、９…絶縁部材（固定部材）、９ａ…挿通孔、１０…高周波信号送受信端子、１１…分配器用トリプレート線路、１２…誘電体挿入型移相器用トリプレート線路、１３…給電線路用トリプレート線路、１４…アンテナ素子アレイ、２１ａ，２１ｂ…取付金具、２２…レドーム、２３ａ，２３ｂ…アンテナキャップ、２５ａ，２５ｂ…同軸ケーブルアダプタ、３１…第１のグランド板（第１の外部導体）、３１ａ…貫通孔、３２…第２のグランド板（第２の外部導体）、３２ａ…裏面、３３…中心導体、３４ａ，３４ｂ…側板、４１…水平偏波アンテナ素子、４２…垂直偏波アンテナ素子、５１ａ，５１ｂ…連結棒ガイド、５２ａ，５２ｂ…連結棒、５３…モータユニット用ケーブル、５４…直動モータユニット、５５ａ…水平偏波用同軸ケーブル、５５ｂ…垂直偏波用同軸ケーブル、５６…チルト設定基板、６１…第１の誘電体板、６２…第２の誘電体板、６３…誘電体支持ピン、６４…誘電体スペーサ、７１…放射素子接続金具（導電部材）、７１ａ…接触部、７１ｂ…取付部、７１ｃ…連結部、７２…グランド板接続金具、７２ａ…上面、７２ｂ…下面、７３…固定金具、９１…固定部、９１ａ…第１の挿通孔、９２…基部、９２ａ…第２の挿通孔、３２０…スリット、３３０…端部、４１０，４２０…誘電体基板、４１０ａ，４２０ａ…第１の主面、４１０ｂ，４２０ｂ…第２の主面、４１１，４２１…素子内給電線路、４１１ａ，４２１ａ…第１の接続パターン、４１１ｂ，４２１ｂ…第２の接続パターン、４１１ｃ…導体板、４１２，４２２…放射素子、４１２ａ，４２２ａ…放射素子パターン、４１２ｂ，４２２ｂ…バランパターン、４１３，４２３…切込部、４２６…スリット、４２６ａ…大スリット部、４２６ｂ…小スリット部
【図１】
2015033114.tif 000003
【図２】
2015033114.tif 000004
【図３】
2015033114.tif 000005
【図４】
2015033114.tif 000006
【図５】
2015033114.tif 000007
【図６】
2015033114.tif 000008
【図７】
2015033114.tif 000009
【図８】
2015033114.tif 000010
【図９】
2015033114.tif 000011
【図１０】
2015033114.tif 000012
【図１１】
2015033114.tif 000013